(57)【要約】【課題】限られた空間を有効に活用し、且つ、小型部品の交換、取外し等を容易に行なうことのできる携帯型電気機器を提供する。【解決手段】ダイヤル３０を回転可能に支持するダイヤルユニット２０を機器筐体１１に取り付けてなる携帯型電気機器において、ダイヤルユニット２０は、機器筺体１１側に向かって開口したダイヤル３０と、ダイヤル３０を回転可能に支持する支持部４０と、該支持部４０を機器筺体１１に取り付ける台座プレート６０と、台座プレート６０上に配備された基板５０と、基板５０に電気的に接続され、ダイヤル３０、支持部４０及び台座プレート６０によって形成される空間に配備された小型部品８０と、を具える。【選択図】      図３
2005038614.tif 000002
【特許請求の範囲】
【請求項１】
ダイヤル（３０）を回転可能に支持するダイヤルユニット（２０）を機器筐体（１１）に取り付けてなる携帯型電気機器において、
ダイヤルユニット（２０）は、
機器筺体（１１）側に向かって開口した中空のダイヤル（３０）と、
ダイヤル（３０）を回転可能に支持する支持部（４０）と、
該支持部（４０）を機器筺体（１１）に取り付ける台座プレート（６０）と、
台座プレート（６０）上に配備された基板（５０）と、
基板（５０）に電気的に接続され、ダイヤル（３０）、支持部（４０）及び台座プレート（６０）によって形成される空間に配備された小型部品（８０）と、
を具えることを特徴とする携帯型電気機器。
【請求項２】
ダイヤルユニット（２０）は、筐体（１１）に対して取り外し可能である請求項１に記載の携帯型電気機器。
【請求項３】
ダイヤル（３０）は、支持部（４０）に取り外し可能に支持されている請求項１又は請求項２に記載の携帯型電気機器。
【請求項４】
小型部品（８０）は、電池（８２）又はコンデンサ（８４）である請求項１乃至請求項３の何れかに記載の携帯型電気機器。
【請求項５】
台座プレート（６０）には、基板（５０）が一体に形成されている請求項１乃至請求項４の何れかに記載の携帯型電気機器。
【発明の詳細な説明】
【０００１】
【発明の属する技術分野】
本発明は、ダイヤル中の限られた空間に収納した小型部品の交換、取外しを容易に行なうことのできる携帯型電気機器に関するものである。
【０００２】
【従来の技術】
デジタルカメラ、携帯電話機等の携帯型電気機器は、小型化が望まれている。
小型化を達成するには、構成部品を小型化することは勿論、限られた内部空間を有効に利用すべく構成部品の配置を考慮することが重要である。
そこで、小型カメラにおいて、モード選択、ボリューム調整、画質調整用のダイヤル内部の空間に、大型の構成部材、例えばカメラ本体に収納した電池の一部が入るようにして、小型化を図ったものが提案されている。
【０００３】
【特許文献１】
特開平１１−１０９４６４号公報（段落０００６及び図２）
【０００４】
【発明が解決しようとする課題】
バックアップ用の電池やコンデンサ等（以下「バックアップ用電池」という）は、携帯型電気機器の修理や部品交換の際に、マイコンのポート設定、レジスタ、ＲＡＭ等の内容をリセットしなければならないことがある。
また、これらバックアップ用電池は、消耗による交換、管理、輸送、廃棄等の効率化や利便性を高めるため、本体から取り外したり、別個に管理する必要がある。
【０００５】
コンデンサは、通常、ＣＰＵ等が搭載される制御基板に半田付けされるため、コンデンサを制御基板から取り外すには、熱を加える必要がある。しかしながら、熱を加えると、他の部品に悪影響を及ぼすことがあるため、コンデンサを取り替えるには、制御基板ごと交換せざるを得なかった。
【０００６】
本発明の目的は、限られた空間を有効に活用し、且つ、小型部品の交換、取外し等を容易に行なうことのできる携帯型電気機器を提供することである。
【０００７】
【課題を解決するための手段】
上記課題を解決するために、本発明の携帯型電気機器は、ダイヤルを回転可能に支持するダイヤルユニットを機器筐体に取り付けてなる携帯型電気機器において、
ダイヤルユニットは、
機器筺体側に向かって開口したダイヤルと、
ダイヤルを回転可能に支持する支持部と、
該支持部を機器筺体に取り付ける台座プレートと、
台座プレート上に配備された基板と、
基板に電気的に接続され、ダイヤル、支持部及び台座プレートによって形成される空間に配備された小型部品と、
を具える。
小型部品として、電池又はコンデンサを例示できる。
【０００８】
【作用及び効果】
ダイヤルユニットの内部に、小型部品を収納することにより、従来、デッドスペースとなっていた空間を有効に利用することができ、機器の小型化を達成できる。
また、ダイヤルに電池やコンデンサ等の小型部品を収容し、１まとめにして１個の部品であるダイヤルユニットとしているから、管理、輸送等の効率が向上する。さらに、１個の部品として、機器に取付け及び取外しができる。
従って、小型部品としてバックアップ用電池を使用する場合に、ダイヤル内の空洞部に収容することにより、ダイヤルユニットを機器から取り外すだけで、バックアップ用電池の交換や、メモリ等のリセットを行なうことができ、メンテナンス性を向上できる。また、廃棄の際の分別も容易になる。
【０００９】
【発明の実施の形態】
携帯型電気機器として、デジタルカメラ、光学式カメラ、デジタルビデオカメラ、ビデオカメラ、携帯型電話機、電気機器用のリモコン等を例示することができる。
【００１０】
小型部品（８０）を収容するダイヤルとして、以下に示すモード選択用ダイヤル（３０）の他、ボリューム調整ダイヤル、画質等の調整ダイヤル等を例示できる。
【００１１】
以下では、携帯型電気機器としてデジタルカメラ（１０）、ダイヤル（３０）の操作に直接関係しない小型部品（８０）としてボタン型電池（８２）を例に挙げて説明する。
デジタルカメラ（１０）は、図１乃至図３に示すように、筺体（１１）の前面にレンズ部（１５）を有しており、右上面にシャッターボタン（１６）、左上面に撮影モード選択用のダイヤル（３０）が配備されている。デジタルカメラ（１０）には、その他、フラッシュ（１７）や液晶表示部、電源スイッチ、ズームボタン（図示せず）などを具える。
【００１２】
図４は、デジタルカメラ（１０）のダイヤルユニット（２０）の拡大断面図である。ダイヤル（２０）は、筺体（１１）に形成された円形のダイヤル用孔（１２）に取り付けられており、下向きに開口した中空のダイヤル（３０）と、該ダイヤル（３０）を回転可能に支持する支持部（４０）を有し、支持部（４０）、ダイヤル（３０）及び台座プレート（６０）により囲まれる空洞部（２２）にボタン型電池（８２）が収容された構造となっている。
筺体（１１）の天面には、上記ダイヤル（３０）を回転可能に収めるダイヤル用孔（１２）が開設されており、ダイヤル用孔（１２）に接近した位置にダイヤル（３０）の操作モード（３１）を位置合わせするマーク（１８）が記されている。ダイヤル用孔（１２）にダイヤル（３０）を嵌めた状態で、筺体（１１）の内側に後記する台座プレート（６０）がネジ止め（６５）される。
【００１３】
使用者が操作するダイヤル（３０）は、図４及び図５に示すように、環状平板のリング体（３２）と、該リング体（３２）の側面から下向きに延びる環状リブ部（３３）とを有しており、使用者が回転させて、ダイヤル（３０）の表面に示された所望の操作モード（３１）を筺体（１１）のマーク（１８）に所望の操作モード（３１）を位置合わせすることにより、所望の操作を選択する。
リング体（３２）には、中央孔（３４）が形成されており、中央孔（３４）の内縁に抜止め用のフランジ（３５）が内向きに突設されている。
リング体（３２）の裏面には、下向きに開口するコ字状の接点用電極（３６）が取り付けられている。接点用電極（３６）は、図４に示すように、２つの接片（３７）（３８）の先端が夫々半径の異なる移行路を移動するように配置され、両接片（３７）（３８）が後述する基板（５０）に配備された電極（５２）（５３）と接触し、両電極（５２）（５３）間を導通する。
【００１４】
上記ダイヤル（３０）は、支持部（３０）によって筺体（１１）の天面へ回転可能に取り付けられている。該支持部（１１）は、図４、図５に示す如く、上部にフランジ（４５）、下部に複数の支持柱（４７）を突設した支持台（４４）を、筺体（１１）の天面の台座プレート（６０）上にネジ止め（６４）して取り付けられている。フランジ（４５）は、中央にネジ孔（４６）を具え、該フランジ（４５）上に、ダイヤル（３０）を置き、ダイヤル（３０）の中央孔を貫通して段付きネジ（４１）をフランジ（４５）にネジ止めしている。
フランジ（４５）と段付きネジ（４１）の間に形成した段部（４３）の間に、ダイヤル（３０）の中央孔（３４）内縁のフランジ（３５）を嵌め、ダイヤル（３０）を抜止めすると共に、回転可能に止めている。
【００１５】
フレキシブル基板（５０）は、ダイヤル（３０）の環状リブ部（３３）の内径よりも少し小さい円形状であり、台座プレート（６０）上に取り付けられる。フレキシブル基板（５０）の周面の一部に、リード（５６）（５６）等を引き出す引出部（５１）を有している。
基板（５０）には、図６に示すように、ダイヤル（３０）の外側の接片（３７）と接触可能な半径上に複数のモード決定用電極（５２）（５２）が設けられている。モード決定用電極（５２）（５２）は、使用者がダイヤル（３０）を回転させて、所望の操作モード（３１）を筺体（１１）のマーク（１８）に位置合わせしたときに、所定のモード決定用電極（５２）が接片（３７）と接触するように、操作モード（３１）（３１）の間隔に合わせて配置されている。
ダイヤル（３０）の内側の接片（３８）と接触可能な半径上には、略環状の電極（５３）が設けられており、使用者がダイヤル（３０）を回転させたときに、モード決定用電極（５２）と環状電極（５３）が接点用電極（３６）により電気的に接続される。
フレキシブル基板（５０）の中央には、図４乃至図６に示すように、小型部品（８０）として、メモリ等のバックアップ用のボタン型電池（８２）を配置することができる。ボタン型電池（８２）は、フレキシブル基板（５０）に接着剤又は粘着テープ等により取り付けられる。電池（８２）の正極及び負極には、図６に示すように、電極板（５４）（５５）が取り付けられており、各電極板（５４）（５５）は、フレキシブル基板（５０）にプリントされたリード（５６）（５６）に接続されている。
また、フレキシブル基板（５０）には、図６に示すように、電池（８２）の近傍に、メモリ等の内容をリセットするリセット端子（５７）が配備されている。リセット端子（５７）もリード（５６）に接続されている。メモリ等をリセットするには、リセット端子（５７）と上記電池（８２）に接続された電極板（５４）（マイナス極側）とを導電性金属の工具でショートさせればよい。
【００１６】
フレキシブル基板（５０）には、上述の支持部（４０）と共に台座プレート（６０）に基板（５０）を取り付けるために、支持柱（４７）のネジ取付部（４９）（４９）のネジ孔（４８）（４８）と対応する位置に夫々ネジ（６４）（６４）を通す貫通孔（５８）（５８）が開設されている（図６参照）。
【００１７】
支持台（４４）とフレキシブル基板（５０）は、台座プレート（６０）に取り付けられる。
台座プレート（６０）は、フレキシブル基板（５０）を搭載できる大きさであり、台座プレート（６０）の縁部の１又は複数箇所に、デジタルカメラ（１０）の筺体（１１）に取り付ける貫通孔（６２）（６２）が開設されたネジ止め部（６１）（６１）を具える。また、台座プレート（６０）の中心側には、支持柱（４７）（４７）のネジ取付部（４９）（４９）のネジ孔（４８）（４８）と対応する位置にネジ（６４）（６４）を通す貫通孔（６３）（６３）が開設されている。
【００１８】
ダイヤルユニット（２０）の組立ては、図５に示すように、台座プレート（６０）上に、ボタン型電池（８２）を取り付けたフレキシブル基板（５０）と、支持部（４０）を載せ、孔（６３）（５８）（４８）を位置合わせしてネジ止め（６４）する。これにより、台座プレート（６０）にフレキシブル基板（５０）及び支持部（４０）が固定される。この状態で、ダイヤル（３０）を支持台（４４）に嵌め、上から段付きネジ（４１）で止めて、ダイヤルユニット（２０）が組み立てられる。
ダイヤルユニット（２０）は、ユニット単体で作製、輸送、管理が可能であり、また、通常は空洞である空洞部（２２）にボタン型電池（８２）を収容し有効に活用することができる。
【００１９】
組み立てられたダイヤルユニット（２０）をデジタルカメラ筺体（１１）へ取り付けるには、先ず、フレキシブル基板（５０）の引出部（５１）をデジタルカメラ（１０）の制御基板（図示せず）に電気的に接続し、筺体（１１）の内側からダイヤル用孔（１２）にダイヤル（３０）を嵌めて、台座プレート（６０）の貫通孔（６２）（６２）と筺体（１１）のネジ孔（１３）（１３）とを位置合わせして、ネジ止め（６５）することにより行なうことができる。
【００２０】
使用者の操作によりダイヤル（３０）を回転し、操作モード（３１）を筺体（１１）のマーク（１８）と位置合わせすると、図４に示すように、対応するモード決定用電極（５２）と環状電極（５３）が接点電極（３６）によって通電し、制御基板（図示せず）に信号が送られ、所望の操作が行なわれる。
【００２１】
メモリ等のリセットを行なう場合には、筺体（１１）を分解し、ネジ止め（６５）を解除して、ダイヤルユニット（２０）を筺体（１１）から取り外し、さらに、ネジ（６４）（６４）を外して、リセット端子（５７）とマイナス電極板（５４）とをショートさせる。または、ダイヤルユニット（２０）が筺体（１１）に取り付けられた状態で、段付きネジ（４１）を外してダイヤル（３０）のみを取り外し、支持台（４４）と基板（５０）の隙間から導電性金属工具によってリセット端子（５７）とマイナス電極板（５４）とをショートさせてもよい。後者の場合、ダイヤル（３０）を取り外すだけで、ダイヤルユニット（２０）の基板（５０）等は筺体（１１）から取り外す必要がないから、作業効率が高い。
また、電池（８２）の交換は、筺体（１１）からダイヤルユニット（２０）自体を取り外して、新たな電池（８２）が組み込まれた別のダイヤルユニット（２０）を取り付けたり、ダイヤルユニット（２０）を筺体（１１）から取り外した後、台座プレート（６０）から基板（５０）を取り外して、新たな電池（８２）の組み込まれた基板（５０）に取り替えることによって行なうことができる。
【００２２】
上記実施例では、小型部品（８０）として、メモリ等のバックアップ用のボタン電池（８２）を例に挙げて説明したが、小型部品（８０）としてコンデンサ（８４）を配置することもできる。コンデンサ（８４）は、図７に示すように、フレキシブル基板（５０）に、接着剤又は粘着テープ等により取り付けることができる。コンデンサ（８４）には、図７に示すように、端子（５９）（５９）が取り付けられており、各端子（５９）（５９）は、フレキシブル基板（５０）上のリード（５６）（５６）に接続される。
メモリ等のリセットは、導電性金属工具を用いて両端子（５９）（５９）をショートさせることにより行なうことができる。
コンデンサ（８４）の交換は、上述の電池（８２）の交換と同様の要領で行なうことができる。
【００２３】
なお、上記実施例では、ダイヤルユニット（２０）に搭載した基板（５０）をフレキシブルな材料によって作製しているが、引出部（５１）以外の基板部分は、剛性のある樹脂等の絶縁材料によって構成してもよい。この場合、基板自体が剛性を有しているので、基板自体にデジタルカメラ（１０）の筺体（１１）に取り付けるネジ止め部を形成すれば、台座プレート（６０）を省略できる。
【００２４】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能である。
【００２５】
例えば、ダイヤル（３０）の支持構造、ダイヤルユニット（２０）の取付構造等は、本実施例に限定されるものではない。また、搭載される小型部品（８０）も、ボタン型電池（８２）やコンデンサ（８４）に限定されるものではなく、コイン型電池やリチウムイオン電池等としてもよい。
【図面の簡単な説明】
【図１】デジタルカメラの正面図である。
【図２】デジタルカメラの右側面図である。
【図３】デジタルカメラの平面図である。
【図４】図３の線Ａ−Ａに沿う矢視断面図である。
【図５】ダイヤルユニットの分解斜視図である。
【図６】小型部品としてボタン型電池を搭載したフレキシブル基板の平面図である。
【図７】小型部品としてコンデンサを搭載したフレキシブル基板の平面図である。
【符号の説明】
（１０）  デジタルカメラ
（２０）  ダイヤルユニット
（２２）  空洞部
（３０）  ダイヤル
（４０）  支持部
（５０）  フレキシブル基板
（８２）  ボタン型電池
【図１】
2005038614.tif 000003
【図２】
2005038614.tif 000004
【図３】
2005038614.tif 000005
【図４】
2005038614.tif 000006
【図５】
2005038614.tif 000007
【図６】
2005038614.tif 000008
【図７】
2005038614.tif 000009